(57)【要約】  【課題】２つの非接触型の取引媒体に対する取引処理を簡単な取引媒体のハンドリングで行うことのできる取引処理装置および当該装置における取引処理方法を提供する。  【解決手段】カード挿入口２２から挿入される非接触型の第１カード１は、搬送手段により装置の筐体２０の内部に取り込まれ、内部アンテナ１１の上方で停止する。非接触型の第２カード２は、外部アンテナ１２の前面のカードポケット２３に収納・保持される。取引処理の進行に従って、内部アンテナ１１と外部アンテナ１２とが順次切り換えられ、内部アンテナ１１を用いて第１カード１と通信を行うことで第１カード１に対する処理が行われ、外部アンテナ１２を用いて第２カード２と通信を行うことで第２カード２に対する処理が行われる。【選択図】  図１
2006072616.tif 000002
【特許請求の範囲】
【請求項１】
搬送手段によって装置の内部に取り込まれた非接触型の第１取引媒体との通信に用いる第１アンテナと、
利用者によって装置の所定位置に配置された非接触型の第２取引媒体との通信に用いる第２アンテナと、
第１アンテナまたは第２アンテナを用いて第１取引媒体または第２取引媒体と通信を行う非接触通信手段と、
第１取引媒体および／または第２取引媒体に対する取引処理を指示する指示手段と、
前記搬送手段を制御すると共に前記非接触通信手段と通信を行う制御手段と、を備え、
前記制御手段は、前記指示手段で指示された取引処理の内容に基づいて、前記非接触通信手段に第１取引媒体および／または第２取引媒体と通信を行わせることにより、第１取引媒体および／または第２取引媒体に対する前記取引処理を行うことを特徴とする取引処理装置。
【請求項２】
請求項１に記載の取引処理装置において、
第１アンテナと第２アンテナとを切り換えるアンテナ切り換え部を備え、
前記制御手段は、前記アンテナ切り換え部を制御することにより、前記非接触通信手段に第１取引媒体または第２取引媒体のいずれかと通信を行わせることを特徴とする取引処理装置。
【請求項３】
請求項１または請求項２に記載の取引処理装置において、
第２取引媒体を収納する収納部と、当該収納部に収納された第２取引媒体を固定する固定手段とを備えることを特徴とする取引処理装置。
【請求項４】
請求項１ないし請求項３のいずれかに記載の取引処理装置において、
前記搬送手段が第１取引媒体を取り込む搬送路には、接触型の取引媒体と接触する接触アクセス手段が設けられ、装置の内部に取り込まれた第１取引媒体が接触型の取引媒体である場合には、前記制御手段は、前記接触アクセス手段を介して第１取引媒体と通信を行うことを特徴とする取引処理装置。
【請求項５】
搬送手段によって装置の内部に取り込まれた非接触型の第１取引媒体との通信に用いる第１アンテナと、利用者によって装置の所定位置に配置された非接触型の第２取引媒体との通信に用いる第２アンテナとを備え、指示手段によって指示された取引処理を行う取引処理装置における取引処理方法であって、
前記指示手段で指示された取引処理の内容に基づいて、第１アンテナおよび／または第２アンテナを用いて第１取引媒体および／または第２取引媒体と通信を行うことにより、第１取引媒体および／または第２取引媒体に対する前記取引処理を行うことを特徴とする取引処理方法。
【請求項６】
請求項５に記載の取引処理方法において、
前記指示手段で指示された取引処理が２つの取引媒体に対する取引処理である場合、第１アンテナと第２アンテナとを切り換えて第１取引媒体および第２取引媒体と通信し、第１取引媒体および第２取引媒体が共に存在することを確認した後に、前記取引処理の内容に基づいて、第１アンテナと第２アンテナとを切り換えて第１取引媒体および第２取引媒体と通信を行うことにより、第１取引媒体に対する処理と第２取引媒体に対する処理とを所定の順序で行うことを特徴とする取引処理方法。
【請求項７】
請求項６に記載の取引処理方法において、
前記第１取引媒体に対する処理と第２取引媒体に対する処理を行う場合、前記２つの処理の一方の処理の処理結果に基づいて他方の処理を行うことを特徴とする取引処理方法。
【請求項８】
請求項５に記載の取引処理方法において、
第１取引媒体との通信で得られた第１取引媒体の属性と、第２取引媒体との通信で得られた第２取引媒体の属性とに基づいて、前記取引処理における各処理の対象となる取引媒体を決定することを特徴とする取引処理方法。
【請求項９】
請求項５に記載の取引処理方法において、
前記指示手段で指示された取引処理が１つの取引媒体に対する取引処理である場合、第１アンテナと第２アンテナとを切り換えて第１取引媒体および第２取引媒体と通信し、第１取引媒体または第２取引媒体のいずれかが存在することを確認した後に、該当するアンテナを用いて存在が確認された取引媒体と通信を行うことにより、当該取引媒体に対する前記取引処理を行うことを特徴とする取引処理方法。
【請求項１０】
請求項６または請求項９に記載の取引処理方法において、
前記指示手段が取引処理を指示した直後に、前記搬送手段が装置の挿入口から挿入される第１取引媒体を装置の内部に取り込めるようにすると共に、第２アンテナに切り換えることを特徴とする取引処理方法。
【請求項１１】
請求項５ないし請求項１０のいずれかに記載の取引処理方法において、
第２取引媒体が前記指示手段で指示された取引処理の対象となる場合には、前記取引処理の所定の期間において、第２取引媒体を前記所定位置に固定することを特徴とする取引処理方法。
【発明の詳細な説明】
【技術分野】
【０００１】
本発明は、非接触型の取引媒体に対する取引処理を行う取引処理装置および当該装置における取引処理方法に関する。
【背景技術】
【０００２】
非接触通信によってカードに記録された情報のリード／ライトが可能な非接触カードが定期券や取引カードとして普及しつつあり、自動改札機や取引処理装置（自動現金預入装置など）で利用されている。取引処理装置においては、非接触カードのセキュリティが高いことから、今後、第１の非接触型の電子マネーカードから第２の非接触型の電子マネーカードへ現金に相当するバリューを移動するバリュー移動処理などの取引処理が行われる。また、このような取引処理に用いられる非接触カードのカードリーダ（リーダ／ライタともいう）として以下のものが知られている。
【０００３】
下記の特許文献１に示されるカードリーダは、非接触カードとの通信に用いる第１通信コイルと第２通信コイルとを備える。第１通信コイルは、カード挿入口とカード挿入口の内側のシャッタとの間に取り付けられており、カード挿入口から挿入されたカードが非接触通信の可能なカードであるか否かを検出する。そのカードが非接触通信の可能なカードである場合は、シャッタが開き、カードがカードリーダの内部に取り込まれ、第２通信コイルによって非接触カードに対するリード／ライトなどの処理が行われる。一方、カード挿入口から挿入されたものが非接触通信の不可能なカードや異物の場合は、シャッタが開かない。このようにして、非接触通信の不可能なカードや異物がカードリーダ内に取り込まれるのを防止している。
【０００４】
下記の特許文献２に示されるカードリーダは、カードリーダの筐体の上面の内側に１つのアンテナを備えており、このアンテナでカードリーダの上面に翳された非接触カード、またはカード挿入口から挿入され、カードリーダの内部に取り込まれた非接触カードに対してリード／ライトを行う。また、このカードリーダの内部には、磁気カードや磁気ストライプ付きの非接触カードに対してリード／ライトを行うための磁気ヘッドも設けられている。
【０００５】
尚、２つの非接触カードに対する取引処理を行う装置ではないが、下記の特許文献３には、第１アンテナと第２アンテナとを備えた自動改札機が示されている。自動改札機の本体の上面に設けられた第１アンテナは、当該アンテナに翳された非接触券および非接触トークンを読み取り、トークン投入口の近くに設けられた第２アンテナは、トークン投入口に投入された非接触トークンを読み取る。また、複数のアンテナをハードウエア的にアンテナ切り換え部で切り換えることが下記の特許文献４に示されている。また、非接触カードとカードリーダとの通信手順などについては、下記の特許文献５に示されている。
【０００６】
【特許文献１】特開２００１−１１８０３５号公報（段落０００９〜００１８）
【特許文献２】特開平１１−１６１７５１号公報（要約、段落００６５〜００７０）
【特許文献３】特開２００２−３４２７９９号公報（段落００１１〜００３９）
【特許文献４】特開平６−３３３０９７号公報（要約）
【特許文献５】特開２０００−１２３１３８号公報（段落００１２〜００２４）
【発明の開示】
【発明が解決しようとする課題】
【０００７】
特許文献１のカードリーダを用いた取引処理装置で、非接触型の第１の電子マネーカードから非接触型の第２の電子マネーカードへ現金に相当するバリューを移動するバリュー移動処理を行う場合、第１の電子マネーカードをカードリーダ内に取り込み、当該カードに対して移動バリューの減額処理を行った後に当該カードを排出し、その後、第２の電子マネーカードをカードリーダ内に取り込み、当該カードに対して移動バリューの増額処理を行った後に当該カードを排出することになる。このとき、カード利用者は取引処理装置に表示される案内メッセージを見て、２枚のカードの出し入れをしなければならないので、カードのハンドリングに手間がかかり、取引処理の時間が長くなるという問題がある。また、２つの非接触型の電子マネーカードに対して連続して減額処理と増額処理とを行うことができないので、第１の電子マネーカードが排出された後にカード利用者が第２の電子マネーを挿入しないような場合などを考えると、取引処理装置のエラー処理が非常に複雑になるという問題もある。
【０００８】
また、特許文献２のカードリーダを用いた取引処理装置で上述のバリュー移動処理を行う場合、カードリーダ内に取り込まれた非接触型の電子マネーカードとカードリーダの上面に翳された非接触型の電子マネーカードとを１つのアンテナで読み取ることになり、移動バリューの増額処理をするカードと減額処理をするカードとを識別することができず、バリュー移動処理などを行うことができないという問題がある。また、このカードリーダでは、カード挿入口はカードリーダに前面に配置され、非接触型のカードを翳す部分はカードリーダの奥側の上面に配置されるので、略鉛直の前面パネルにカード挿入口が配置される自動現金預入装置などでは、非接触型のカードをアンテナに翳すことができないという問題もある。
【０００９】
本発明は、上記問題点を解決するものであって、その課題とするところは、２つの非接触型の取引媒体に対する取引処理を簡単な取引媒体のハンドリングで行うことのできる取引処理装置および当該装置における取引処理方法を提供することにある。
【課題を解決するための手段】
【００１０】
第１の発明では、搬送手段によって装置の内部に取り込まれた非接触型の第１取引媒体との通信に用いる第１アンテナと、利用者によって装置の所定位置に配置された非接触型の第２取引媒体との通信に用いる第２アンテナと、第１アンテナまたは第２アンテナを用いて第１取引媒体または第２取引媒体と通信を行う非接触通信手段と、第１取引媒体および／または第２取引媒体に対する取引処理を指示する指示手段と、搬送手段を制御すると共に非接触通信手段と通信を行う制御手段と、を備える。そして、制御手段は、指示手段で指示された取引処理の内容に基づいて、非接触通信手段に第１取引媒体および／または第２取引媒体と通信を行わせることにより、第１取引媒体および／または第２取引媒体に対する取引処理を行う。
【００１１】
上記のようにすることで、２つの非接触型の取引媒体に対する取引処理を、取引媒体利用者が第１取引媒体を挿入口から挿入し、第２取引媒体を装置の所定位置に配置するといった簡単な取引媒体のハンドリングで行うことができ、取引処理の処理時間を短縮することができる。また、２つのアンテナを備えているので、２つの非接触型の取引媒体に対する処理（例えば、実施形態に示すバリュー移動処理における第２カードのバリューの増額処理および第１カードのバリューの減額処理）を連続して自動的に行うことができ、取引処理の途中で２つの取引媒体を出し入れすることによって起きる上述の問題が発生しない。さらに、取引媒体利用者が第１取引媒体を挿入口から挿入することで、または第２取引媒体を装置の所定位置に配置することで１つの非接触型の取引媒体に対する取引処理も行うことができる。
【００１２】
第１の発明の実施形態においては、第１アンテナと第２アンテナとを切り換えるアンテナ切り換え部を備え、制御手段は、アンテナ切り換え部を制御することにより、非接触通信手段に第１取引媒体または第２取引媒体のいずれかと通信を行わせる。上記のようにすることで、１つの非接触通信部で２つの取引媒体と通信を行うことができるので、装置の部品点数の増加を抑制することができる。
【００１３】
また、第１の発明の実施形態においては、第２取引媒体を収納する収納部と、当該収納部に収納された第２取引媒体を固定する固定手段とを備える。上記の固定手段で収納部に収納された第２取引媒体を固定することで、取引処理の途中で取引媒体利用者が第２取引媒体を収納部から抜き取ることができなくなるので、取引処理を安全・確実に行うことができる。
【００１４】
さらに、第１の発明の実施形態においては、搬送手段が第１取引媒体を取り込む搬送路には、接触型の取引媒体と接触する接触アクセス手段が設けられ、装置の内部に取り込まれた第１取引媒体が接触型の取引媒体である場合には、制御手段は、接触アクセス手段を介して第１取引媒体と通信を行う。上記のようにすることで、接触アクセス手段（例えば、磁気ヘッドや接点型のカードの接点と接触するためのプローブ）を介して接触型の第１取引媒体（例えば、磁気カードや接点型のカード）と通信を行うことができるので、第１取引媒体が接触型の取引媒体であっても、１つまたは２つの取引媒体に対する取引処理を行うことができる。
【００１５】
第２の発明は、搬送手段によって装置の内部に取り込まれた非接触型の第１取引媒体との通信に用いる第１アンテナと、利用者によって装置の所定位置に配置された非接触型の第２取引媒体との通信に用いる第２アンテナとを備え、指示手段によって指示された取引処理を行う取引処理装置における取引処理方法であって、指示手段で指示された取引処理の内容に基づいて、第１アンテナおよび／または第２アンテナを用いて第１取引媒体および／または第２取引媒体と通信を行うことにより、第１取引媒体および／または第２取引媒体に対する取引処理を行う。
【００１６】
上記のようにすることで、２つの非接触型の取引媒体に対する取引処理を、取引媒体利用者が第１取引媒体を挿入口から挿入し、第２取引媒体を装置の所定位置に配置するといった簡単な取引媒体のハンドリングで行うことができ、取引処理の処理時間を短縮することができる。また、２つのアンテナを用いるので、２つの非接触型の取引媒体に対する処理（例えば、実施形態に示すバリュー移動処理における第２カードのバリューの増額処理および第１カードのバリューの減額処理）を連続して自動的に行うことができ、取引処理の途中で２つの取引媒体を出し入れすることによって起きる上述の問題が発生しない。さらに、取引媒体利用者が第１取引媒体を挿入口から挿入することで、または第２取引媒体を装置の所定位置に配置することで１つの非接触型の取引媒体に対する取引処理も行うことができる。
【００１７】
第２の発明の実施形態においては、指示手段で指示された取引処理が２つの取引媒体に対する取引処理である場合、第１アンテナと第２アンテナとを切り換えて第１取引媒体および第２取引媒体と通信し、第１取引媒体および第２取引媒体が共に存在することを確認した後に、取引処理の内容に基づいて、第１アンテナと第２アンテナとを切り換えて第１取引媒体および第２取引媒体と通信を行うことにより、第１取引媒体に対する処理と第２取引媒体に対する処理とを所定の順序で行う。上記のように、第１取引媒体および第２取引媒体が共に存在することを確認した後に、第１取引媒体に対する処理と第２取引媒体に対する処理を行うので、２つの取引媒体に対する取引処理を安全・確実に行うことができる。
【００１８】
また、第２の発明の実施形態においては、第１取引媒体に対する処理と第２取引媒体に対する処理を行う場合、２つの処理の一方の処理の処理結果に基づいて他方の処理を行う。上記のようにすることで、一方の非接触型の電子マネーカードから他方の非接触型の電子マネーカードへ現金に相当するバリューを移動するバリュー移動処理や、非接触型のキャッシュカードの口座から減額した金額を非接触型の電子マネーカードのバリューへ加算して増額する口座からのチャージ処理などを行うことができる。
【００１９】
さらに、第２の発明の実施形態においては、第１取引媒体との通信で得られた第１取引媒体の属性と、第２取引媒体との通信で得られた第２取引媒体の属性とに基づいて、取引処理における各処理の対象となる取引媒体を決定する。上記のようにすることで、例えば、キャッシュカードの口座から減額した金額を電子マネーカードのバリューへ加算して増額する口座からのチャージ処理では、第１取引媒体がキャッシュカードまたは電子マネーカードのいずれであっても、口座からのチャージ処理を行うことができる。つまり、カード利用者はキャッシュカードを挿入口から挿入しても、装置の所定位置に配置してもよいので、キャッシュカードを第１取引媒体と規定しているような場合に起きる取引媒体のハンドリングミス（カード利用者がキャッシュカードを第２取引媒体とすること、すなわちキャッシュカードを装置の所定位置に配置すること）が発生しないようにすることができる。
【００２０】
さらに、第２の発明の実施形態においては、指示手段で指示された取引処理が１つの取引媒体に対する取引処理である場合、第１アンテナと第２アンテナとを切り換えて第１取引媒体および第２取引媒体と通信し、第１取引媒体または第２取引媒体のいずれかが存在することを確認した後に、該当するアンテナを用いて存在が確認された取引媒体と通信を行うことにより、当該取引媒体に対する取引処理を行う。上記のようにすることで、カード利用者は取引媒体を挿入口から挿入しても、装置の所定位置に配置しても１つの取引媒体に対する取引処理を行うことができるので、取引処理を行う取引媒体を第１取引媒体と規定しているような場合に起きる取引媒体のハンドリングミス（取引媒体利用者が取引処理を行う取引媒体を第２取引媒体とすること、すなわち当該取引媒体を装置の所定位置に配置すること）が発生しないようにすることができる。
【００２１】
さらに、第２の発明の実施形態においては、指示手段が取引処理を指示した直後に、搬送手段が装置の挿入口から挿入される第１取引媒体を装置の内部に取り込めるようにすると共に、第２アンテナに切り換える。上記のようにすることで、第１取引媒体が第１アンテナと通信可能な位置に搬送されるまでは第２アンテナを用いて第２取引媒体と通信することができる。また、第１取引媒体が挿入口から挿入されると、第１取引媒体を第１アンテナと通信可能な位置に自動的に搬送することができるので、第１取引媒体が当該位置にあるときに第１アンテナに切り換えれば、直ちに第１取引媒体との通信を行うことができる。これにより、取引処理の処理時間を短縮することができる。
【００２２】
さらに、第２の発明の実施形態においては、第２取引媒体が指示手段で指示された取引処理の対象となる場合には、取引処理の所定の期間において、第２取引媒体を所定位置に固定する。上記のようにすることで、取引処理の途中で取引媒体利用者が第２取引媒体を収納部から抜き取ることができなくなるので、取引処理を安全・確実に行うことができる。
【発明の効果】
【００２３】
本発明によれば、２つの非接触型の取引媒体に対する取引処理を簡単な取引媒体のハンドリングで行うことができ、取引処理の処理時間を短縮することができる。
【発明を実施するための最良の形態】
【００２４】
以下、図面を参照して本発明に係る取引処理装置（以下、装置という）について説明する。図１は装置の外観を示す斜視図である。図２はカードポケット内のカードを固定する機構を示す断面図である。図３はカードリーダユニットの概略機構を示す図である。図４は装置の電気的構成を示す図である。
【００２５】
図１において、２０は装置の筐体、２１は筐体２０の前面パネル、２２はカード１を挿入するカード挿入口、２３はカード２を収納・保持するカードポケットである。２４は装置で行われた処理内容などを印刷した帳票を発行する帳票発行口、２５は装置の操作ガイダンスやエラーメッセージなどを表示する表示部、２６はテンキーや取り消しキーなどを備えたキーボードである。表示部２５がタッチパネルを備えている場合は、キーボード２６の機能を表示部２５に持たせることができる。２７は現金を投入したり、装置が放出した現金を取り出すための入出金口、２８は入出金口２７を開閉する入出金口扉である。
【００２６】
１１はカード挿入口２２から挿入されたカード１との非接触通信に用いられる第１アンテナであり、後述のカードリーダユニット３０（図３）の内部に設けられている。１２はカード２との非接触通信に用いられる第２アンテナであり、前面パネル２１の背面側に設けられている。以下では、カード挿入口２２から挿入されるカード１を第１カード１、カードポケット２３に収納されるカード２を第２カード２という。また、上記の帳票の発行は本発明の直接的事項ではないので、帳票を印刷するプリンタや帳票の発行方法などについては説明を省略する。
【００２７】
図２はカードポケット２３の中央部における縦断面図であり、カードポケット２３内の第２カード２の位置を固定するためのカード固定手段２９の構造を示す。通常、カード固定手段２９の押さえ部材２９ａの前面は前面パネル２１の前面と同一平面上にある。制御部４０（図４）で第２カード２が取引処理の対象となるカードであると判定されてから取引処理が終了するまでの間、制御部４０からの信号でカード固定手段２９のソレノイド２９ｂが駆動され、前方に移動した押さえ部材２９ａが第２カード２をカードポケット２３の内壁に押さえつける。このようにして第２カード２を固定することで、取引処理の途中でカード利用者がカードポケット２３から第２カード２を取り出せないようにしている。尚、カード固定手段２９は、別の構造のものであってもよい。
【００２８】
ここで、本装置で使用される取引媒体であるカードについて説明する。第２カード２として使用できるのは非接触カード（非接触型のカード）だけである。第１カード１として使用できるのは、非接触カードおよび接点カード（接点型のカード）や磁気カードなどの接触型のカードである。非接触カードは、アンテナ、送受信回路、制御回路、不揮発性メモリ、電源回路などを内蔵したカードであり、アンテナを貫通する磁界の変動を利用してカードリーダと非接触通信を行う。この非接触通信によって、不揮発性メモリから読み出したデータをカードリーダへ送信したり、不揮発性メモリへ書き込むデータをカードリーダから受信する。接点カードは、表面にカードリーダ側の接点（プローブ）と接触する複数の接点を備え、送受信回路、制御回路、不揮発性メモリなどを内蔵したカードであり、接点を介してカードリーダと通信を行う点を除けば、非接触カードと略同等の機能を備える。
【００２９】
次に、図３を参照してカードリーダユニット３０について説明する。カードリーダユニット３０には、第１カード１を内部に取り込むカード取り込み許可状態と、第１カード１を内部に取り込まないカード取り込み禁止状態とがあり、２つの状態は制御部４０によって設定される。取り込み許可状態のときに、筐体３１の前面のカード挿入口２２から第１カード１が挿入され、第１カード１の先端がカード検出センサ３４ａで検出されると、シャッタ３２が開いてローラ３３が正転し、第１カード１はカードリーダユニット３０内に取り込まれる。第１カード１がローラ３３によって搬送され、第１カード１の先端がカード検出センサ３４ｃで検出されると、ローラ３３の回転が停止し、第１カード１も停止する。実線で示す第１カード１が停止している位置をカード停止位置という。
【００３０】
上記のカード停止位置においては、第１カード１が非接触カードであれば、第１アンテナ１１を用いて第１カード１と非接触通信を行うことができる。また、第１カード１が接点カードであれば、プローブユニット３６を下降させ、プローブユニット３６のプローブ３６ａを第１カード１の接点に接触させることで、第１カード１と通信を行うことができる。第１カード１に対する取引処理が終了すると、第１カード１の排出が行われる。まず、プローブユニット３６が下降位置にあるときはプローブユニット３６が上昇した後に、ローラ３３が逆転し、第１カード１をカード挿入口２２側に搬送する。
【００３１】
そして、第１カード１の後端がカード検出センサ３４ｂで検出されると、シャッタ３２が開き、さらに第１カード１が抜き取られ、第１カード１の後端がカード検出センサ３４ａで検出されると、シャッタ３２が閉じる。このようにして、第１カード１の排出が完了する。尚、上記のローラ３３の正転・逆転・停止は、カード検出センサ３４ａ〜３４ｃの検出信号に基づいて、制御部４０がローラ３３を回転させるモータ（不図示）を制御することによって行われる。また、シャッタ３２の開閉、プローブユニット３６の昇降なども、制御部４０によって制御される。また、第１カード１が磁気カードあれば、第１カード１の取り込み時に磁気ヘッド３５で磁気カードのデータを読み取り、排出時に磁気カードにデータを書き込むことができる。
【００３２】
図４に示す制御部４０は、ＣＰＵやメモリなどから構成され、ＣＰＵがメモリに格納されたプログラムを実行することで装置の各部を制御する。制御部４０には、上述のキーボード２６などに加えて非接触カード通信部４１なども接続されている。非接触カード通信部４１は、送信回路、受信回路、制御回路などから構成される。送信回路は、送信データで搬送波を変調し、変調信号で第１または第２アンテナ１１，１２を駆動することで送信データを非接触カードに送信する。受信回路は、第１または第２アンテナ１１，１２が受信した非接触カードからの信号を復調することで受信データを生成する。制御回路は、制御部４０と送信回路および受信回路との間で送受信データの中継を行うと共に、非接触カードとの通信の制御を行う。このように、実際に非接触カードと通信を行うのは非接触カード通信部４１であるが、以下では、説明の都合上、制御部４０が送信する、または受信すると記すこともある。
【００３３】
アンテナ切り換え部４２は、制御部４０からの信号に基づいて、非接触カード通信部４１に接続されるアンテナを切り換える。すなわち、第１カード１と非接触通信をする場合には第１アンテナ１１（以下、内部アンテナ１１ともいう）に切り換え、第２カード２と非接触通信をする場合には第２アンテナ１２（以下、外部アンテナ１２ともいう）に切り換える。以上のことから、第１アンテナ１１とアンテナ切り換え部４２と非接触カード通信部４１とで第１カード１に対するカードリーダが構成され、第２アンテナ１２とアンテナ切り換え部４２と非接触カード通信部４１とで第２カード２に対するカードリーダが構成されることになる。
【００３４】
接点カード通信部４３は、送信回路、受信回路、制御回路などから構成され、プローブユニット３６のプローブ３６ａが接点カードの接点に接触した状態で、接点カードと通信を行う。磁気カードＲＷ部４４は、制御部４０から渡された書き込みデータに信号処理を施して磁気ヘッド３５の書き込み信号を生成する。また、磁気ヘッド３５の読み取り信号に対して信号処理を施して生成した読み取りデータを制御部４０に渡す。ホスト通信部４５は、制御部４０と上位装置５０（例えば、銀行のホストコンピュータ）との間でデータの送受信を行う。メカ機構駆動部４６は、上述の固定手段２９のソレノイド２９ｂ、ローラ３３を回転させるモータ、シャッタ３２を開閉させるソレノイド、プローブユニット３６を昇降させるモータ、入出金口扉２８を開閉させるモータなどの駆動部と、各駆動部を制御する回路とから構成される。そして、制御部４０からのコマンドや信号に基づいて、ローラ３３などのメカ機構の制御および駆動を行う。
【００３５】
次に、フローチャートを用いて本発明にかかる装置の動作を説明する。図５はメイン処理のフローチャートである。装置に電源が投入されると、制御部４０は、実行可能な取引処理を表示部２５に表示する（Ｓ１）。実行可能な取引処理として各取引処理の名称、各取引処理の内容などが表示される。例えば、一方の電子マネーカードから他方の電子マネーカードへ現金に相当するバリューを移動させるバリュー移動処理では、バリューの移動元の電子マネーカードをカード挿入口２２に挿入し、バリューの移動先の電子マネーカードをカードポケット２３に入れる旨、およびバリュー移動処理を行うためのキーボード２６の操作手順などが表示される。この状態でキーボード２６が操作され、実行する取引処理が指示されると（Ｓ２：ＹＥＳ）、制御部４０は、バリュー移動処理、口座からのチャージ処理および現金チャージ処理のうちで、指示された取引処理を呼び出す（Ｓ３〜Ｓ５）。以下、上記の取引処理について順番に説明する。
【００３６】
まず、図６および図７を参照してバリュー移動処理について説明する。バリュー移動処理では、まず、バリュー移動処理に適合する第１カード１がカード挿入口２２から挿入され、且つバリュー移動処理に適合する第２カード２がカードポケット２３にセットされたかを確認するために、制御部４０は図７に示すカード２枚確認処理を呼び出す（Ｓ１１）。バリュー移動処理を行うためには、第２カード２は非接触カードでなければならないが、ここでは第１カード１も非接触カードでなければならないとしている。また、バリュー移動処理に適合するカードの意味については後述する。
【００３７】
カード２枚確認処理では、制御部４０は、第１カード１の取り込みを許可する（Ｓ３１）。すなわち、カードリーダユニット３０を上述のカード取り込み許可状態に設定する。この結果、カード検出センサ３４ａが第１カード１の挿入を検出すると、シャッタ３２が開くと共にローラ３３が正転し、第１カード１はカードリーダユニット３０の内部に搬送され、上述のカード停止位置で停止する。上記の動作は、バリュー移動処理と並行して制御部４０が実行する不図示のプログラムでメカ機構駆動部４６を制御することによって実現される。
【００３８】
次に、制御部４０は、アンテナ切り換え信号をアンテナ切り換え部４２に送ることによってアンテナを外部アンテナ１２に切り換える（Ｓ３２）。この結果、外部アンテナ１２と非接触カード通信部４１とが接続され、制御部４０はカードポケット２３にセットされた第２カード２と非接触通信を行うことが可能となる。アンテナを外部アンテナ１２に切り換えた後、制御部４０は、カード属性を返すことを促すポーリングコマンドを、第２カード２からレスポンスを受信するまで繰返し第２カード２に送信する（Ｓ３３〜Ｓ３４）。このレスポンスには、カード事業者やカード種別、口座番号等のカード固有の番号（ＩＤ番号）などのデータが含まれる。
【００３９】
第２カード２からレスポンスを受信すると（Ｓ３４：ＹＥＳ）、すなわち非接触型の第２カード２がカードポケット２３にセットされると、制御部４０は、レスポンス中のデータを調べることによって第２カード２が適合カードであるか否かを判定する（Ｓ３５）。適合カードとは、この装置でのバリュー移動処理の対象となりうるカードのことであり、例えば、所定のカード事業者が発行した電子マネーカードである。第２カード２が適合カードではない場合は（Ｓ３５：ＮＯ）、制御部４０は、第２カード２が適合カードでない旨を示すエラーメッセージを表示部２５に表示し（Ｓ３６）、エラー終了を示す０を戻り値として、処理を呼び出し元に戻す（Ｓ３７）。Ｓ３７の括弧内の数字が戻り値である。
【００４０】
一方、第２カード２が適合カードである場合は（Ｓ３５：ＹＥＳ）、制御部４０は、第１カード１がカード挿入口２２から挿入され、カード停止位置で停止するまで待つ（Ｓ３８）。第１カード１がカード停止位置で停止したことが検出されると（Ｓ３８：ＹＥＳ）、制御部４０は、アンテナ切り換え信号をアンテナ切り換え部４２に送ることによってアンテナを内部アンテナ１１に切り換える（Ｓ３９）。この結果、内部アンテナ１１と非接触カード通信部４１が接続され、制御部４０は第１カード１と非接触通信を行うことが可能となる。アンテナを内部アンテナ１１に切り換えた後、制御部４０は、第１カード１にカード属性を返すことを促すポーリングコマンドを送信する（Ｓ４０）。この状況では、第１カード１は第１アンテナ１１と通信可能な位置にあるので、第１カード１が非接触カードであれば、制御部４０は直ちに第１カード１からのレスポンスを受信する。
【００４１】
第１カード１からレスポンスを受信した場合は（Ｓ４１：ＹＥＳ）、上述の第２カード２の場合と同様にして、第１カード１が適合カードであるか否かを判定する（Ｓ４２）。第１カード１が適合カードである場合は（Ｓ４２：ＹＥＳ）、制御部４０は、正常終了を示す１を戻り値として処理を呼び出し元に戻す（Ｓ４３）。一方、第１カード１からレスポンスを受信しない場合（Ｓ４１：ＮＯ）、すなわち第１カード１が非接触カードではない場合、または第１カード１が適合カードではない場合は（Ｓ４２：ＮＯ）、制御部４０は、メカ機構駆動部４６を制御することにより第１カード１をカードリーダユニット３０から排出する（Ｓ４４）。さらに、第１カード１が非接触カードではない旨、または第１カード１が適合カードではない旨のメッセージを表示部２５に表示し（Ｓ４５）、エラー終了を示す０を戻り値として処理を呼び出し元に戻す（Ｓ４６）。
【００４２】
上記のように、バリュー移動処理の開始直後に、第１カード１の取り込みを許可すると共に、アンテナを外部アンテナ１２に切り換えているので、第１カード１がカード停止位置で停止する前に外部アンテナ１２を用いて第２カード２の適合性の確認を行うことができる。また、第１カード１がカード挿入口２２から挿入されれば、第２カード２の適合性の確認が終了した後、アンテナを内部アンテナ１１に切り換えることによって、直ちに第１カード１の適合性の確認を行うことができる。これにより、バリュー移動処理の処理時間を短縮することができる。
【００４３】
また、図７に示すカード２枚確認処理に代えて、図８に示す第２のカード２枚確認処理を用いてもよい。図７では第２カード２の適合性を確認した後に第１カード１の適合性を確認したが、図８では第１および第２カード１，２の内、先に適合性を確認できる状態になったカードから適合性を確認するようにしている。具体的には、第２カード２からレスポンスがないときに（Ｓ５４：ＮＯ）、第１カード１がカード停止位置で停止したことが検出されると（Ｓ６３：ＹＥＳ）、第２カード２の適合性の確認（Ｓ５５）が済んでいなくても、第１カード１の適合性の確認が行われる（Ｓ６４）。これにより、バリュー移動処理のスループットを幾分高めることができる。
【００４４】
尚、図７および図８のフローチャートでは、第２カード２がカードポケット２３にセットされず、いつまで経っても第２カード２からレスポンスを受信しない場合（図７のＳ３３〜Ｓ３４、図８のＳ６７〜Ｓ６８）、または第１カード１がカード挿入口２２から挿入されず、いつまで経っても第１カード１が停止位置にあることが検出されない場合には（図７のＳ３８、図８のＳ５６）、２枚のカードの確認処理が終了しないという問題が生じる。これに対しては、例えば、タイマーで経過時間を監視し、タイマーがタイムアップしたら、２枚のカードの確認処理を強制的に終了させることで上記の問題を解決することができる。
【００４５】
ここで、図６の説明に戻る。カード２枚確認処理（Ｓ１１）がエラー終了し、戻り値が０である場合は（Ｓ１２：ＹＥＳ）、制御部４０は処理を呼び出し元に戻す（Ｓ２２）。一方、カード２枚確認処理（Ｓ１１）が正常終了し、戻り値が１である場合（Ｓ１２：ＮＯ）、すなわち第１および第２カード１，２が共に非接触型の適合カードである場合は、制御部４０は第１カード１の暗証番号を確認する（Ｓ１３）。この確認は、第１カード１の不揮発性メモリに記憶されている暗証番号（すなわち、上述の第１カード１からのレスポンスに含まれる暗証番号）とキーボード２６から入力された番号とが一致するか否かを確認することによって行われる。または、ホスト通信部４５を介して第１カード１のＩＤ番号を上位装置５０に送信したときに上位装置５０から返信される暗証番号が上記の確認に用いられる。ここでは、暗証番号は正しいものとする。また、バリューが減額される第１カード１の暗証番号だけを確認したが、第２カード２の暗証番号も確認するようにしてもよい。
【００４６】
暗証番号の確認が終了すると、制御部４０は、第１カード１から第２カード２に移動する移動バリュー、すなわち第１カード１から第２カード２に移す金額の入力を促すメッセージを表示部２５に表示し、カード利用者にキーボード２６から上記の移動バリューを入力させる（Ｓ１４）。次に、制御部４０は、アンテナ切り換え信号をアンテナ切り換え部４２に送ることにより、アンテナを外部アンテナ１２に切り換え（Ｓ１５）、さらに、上記の移動バリューを第２カード２のバリュー（現在残高）に加算することによって、第２カード２のバリューを増額する（Ｓ１６）。
【００４７】
このバリューの増額の処理は、以下のように行われる。第１に、制御部４０が第２カード２にポーリングコマンドを送信する。第２に、第２カード２と制御部４０とがカードリーダおよび第２カード２の相互認証を行う。ここでは、相互認証は正しく行われたものとする。第３に、第２カード２が不揮発性メモリからバリューを読み出し、制御部４０へ送信する。第４に、制御部４０が受信したバリューに上記の移動バリューを加算し、加算した結果（増額されたバリュー）を第２カード２へ送信し、第２カード２は増額されたバリューで不揮発性メモリ中のバリューを書き換える。第５に、制御部４０が第２カード２の不揮発性メモリから読み出された増額後のバリューを受信し、送信した増額されたバリューとのベリファイを行う。ここでは、両バリューの値は等しいものとする。
【００４８】
次に、制御部４０は、アンテナ切り換え信号をアンテナ切り換え部４２に送ることにより、アンテナを内部アンテナ１１に切り換える（Ｓ１７）。さらに、上記の移動バリューを第１カード１のバリューから減算することによって、第１カード１のバリューを減額する（Ｓ１８）。このバリューの減額の処理は、上記のバリューの増額の処理（Ｓ１６）と同様の手順で行われる。その後、制御部４０は、装置内部に取り込んでいる第１カード１をローラ３３の回転などを制御することによってカードリーダユニット３０から排出する（Ｓ１９）。さらに、制御部４０は、「第１カードから第２カードへ１万円を移動しました」といった終了メッセージを表示部２５に表示し（Ｓ２０）、処理を呼び出し元に戻す（Ｓ２１）。
【００４９】
以上説明したように、２枚のカード、すなわち第１および第２カード１，２に対する取引処理の１つであるバリュー移動処理では、カード利用者が第１カード１をカード挿入口２２から挿入し、第２カードをカードポケット２３にセットするといった簡単なカードのハンドリングで、取引処理を行うことができるので、取引処理の処理時間を短縮することができる。また、第１および第２アンテナ１１，１２を備えているので、取引処理の途中で第１および第２カード１，２の出し入れなどを行わなくても、非接触型の第１および第２カード１，２に対する処理（例えば、上述の移動バリューによる減額処理や移動バリューによる増額処理）を連続して自動的に行うことができる。
【００５０】
さらに、取引処理の進行状況に従って、すなわち制御部４０のＣＰＵが実行するプログラムのシーケンスに従って、アンテナ切り換え部４２で内部アンテナ１１または外部アンテナ１２に順次切り換えるようにしているので、制御部４０は、１つの非接触カード通信部４１で第１および第２カード１，２に対する処理を行うことができる。尚、上述のバリュー移動処理では、第１カード１から第２カード２へバリューを移動するように予め規定されていたが、移動バリューをキーボード２６から入力するときに（図６のＳ１４）、バリューの移動方向（すなわち、バリューの移動元のカードおよびバリューの移動先のカード）をカード利用者が指定できるようにしてもよい。
【００５１】
次に、第１カード１として非接触カードと接点カードとを用いることのできるバリュー移動処理について説明する。本実施形態では、図６のＳ１１で、図９に示す第３のカード２枚確認処理が呼び出される。以下、図９と図７との相違点について説明する。図７では第１カード１からレスポンスがない場合は（Ｓ４１：ＮＯ）、エラー終了としていた。それに対し、図９では第１カード１からレスポンスがない場合は（Ｓ９１：ＮＯ）、制御部４０は、プローブユニット３６のプローブ３６ａを介して、すなわち当該プローブ３６ａと接点カードの接点とを接触させて、カード属性を返すことを促すコマンドを第１カード１に送信し（Ｓ９４）、第１カード１からレスポンスを受信したか否かを判定する（Ｓ９５）。尚、非接触カードと接点カードとに対するデータやコマンドの送受信手順の相違は非接触カード通信部４１と接点カード通信部４３とで吸収され、制御部４０は非接触カードと接点カードとに対して略同じ送受信手順でデータやコマンドを送受信できるものとして、以下の説明を行う。
【００５２】
第１カード１からレスポンスを受信した場合（Ｓ９５：ＹＥＳ）、すなわち第１カード１が接点カードである場合は、制御部４０は、第１カード１が適合カードであるか否かを判定する（Ｓ９６）。第１カード１が適合カードである場合は（Ｓ９６：ＹＥＳ）、制御部４０は、第１カード１が接点カードであることを示す２を戻り値として処理を呼び出し元に戻す（Ｓ９７）。一方、第１カード１からレスポンスを受信しなかった場合（Ｓ９５：ＮＯ）、または第１カード１が適合カードではない場合は（Ｓ９６：ＮＯ）、制御部４０はエラー処理（Ｓ９８〜Ｓ１００）を行う。尚、制御部４０は、接点カードにコマンドを送信する前にプローブユニット３６を下降させてプローブ３６ａを接点カードの接点に接触させる。また、第１カード１をカードリーダユニット３０から排出する（図６のＳ１９、図９のＳ９８）前に、プローブユニット３６を上昇させて、第１カード１の排出を妨げないようにする。
【００５３】
本実施形態のバリュー移動処理では、図９の第２のカード２枚確認処理からの戻り値が２である場合、すなわち第１カード１が接点カードである場合は、制御部４０は、図６のステップＳ１７をスキップし、さらにステップＳ１８の非接触型の第１カード１に対するバリューの増額の処理に代えて、接点カードに対するバリューの増額の処理を行う。尚、ここでは第１カード１が非接触カードまたは接点カードである場合について説明したが、セキュリティ上の問題があるものの、第１カード１が磁気カードであっても、磁気ヘッド３５を用いて同様な処理を行うことができる。
【００５４】
次に、図１０を参照して口座からのチャージ処理（図５のＳ４）について説明する。口座からのチャージ処理とは、第１カード１、例えばキャッシュカードの銀行口座から引き出した金額を、第２カード２、例えば電子マネーカードのバリューにチャージ（増額）する処理である。まず、図７のカード２枚確認処理を呼び出す（Ｓ２０１）。この場合、図７のＳ４２の第１カード１が適合カードであるか否かの判定は、第１カード１の属性がキャッシュカードのように口座から現金を引き出すことのできるカードであるか否かによって行われる。
【００５５】
カード２枚確認処理がエラー終了し、戻り値が０である場合は（Ｓ２０２：ＹＥＳ）、制御部４０は処理を呼び出し元に戻す（Ｓ２１１）。一方、カード２枚確認処理が正常終了し、戻り値が１である場合（Ｓ２０２：ＮＯ）、すなわち第１および第２カード１，２が共に非接触型の適合カードである場合は、図６のＳ１３と同様にして、制御部４０は第１カード１の暗証番号を確認する（Ｓ２０３）。次に、図６のＳ１４と同様にして、制御部４０は、第１カード１の口座から引き出して第２カード２のバリューにチャージするチャージ金額をキーボード２６からカード利用者に入力させる（２０４）。チャージ金額が入力されると、制御部４０は、第１カード１の口座から上記のチャージ金額を減額するために、ホスト通信部４５を介して口座番号とチャージ金額とを上位装置５０に送信する（Ｓ２０５）。上位装置５０では、受信した口座番号の口座からチャージ金額が減額される。
【００５６】
次に、制御部４０は、アンテナ切り換え信号をアンテナ切り換え部４２に送ることにより、アンテナを外部アンテナ１２に切り換え（Ｓ２０６）、図６のＳ１６と同様にして、チャージ金額を第２カード２のバリュー（現在残高）に加算することによって、第２カード２のバリューを増額する（Ｓ２０７）。その後、制御部４０は、ローラ３３の回転などを制御することで第１カード１をカードリーダユニット３０から排出し（Ｓ２０８）、さらに、終了メッセージを表示部２５に表示し（Ｓ２０９）、処理を呼び出し元に戻す（Ｓ２１０）。また、図１０のＳ２０１で図９に示す第３のカード２枚確認処理を呼び出すようにすれば、第１カード１が接点カードであっても口座からのチャージ処理を行うことができる。さらに、第１カード１が磁気カードであっても口座からのチャージ処理を行うようにしてもよい。
【００５７】
尚、上述の口座からのチャージ処理では、第１カード１（キャッシュカード）の口座から第２カード２（電子マネーカード）へバリューをチャージするように予め規定されていた。しかし、このようにすると、カード挿入口２２から電子マネーカード（第１カード１）が挿入されると、第１カード１が不適合なカードとして扱われる。すなわち、カード利用者のカードのハンドリングミスが発生する。そこで、上記の規定を行わずに、第１および第２カード１，２の属性（すなわち、キャッシュカードまたは電子マネーカードのいずれであるか）を制御部４０が判断し、一方がキャッシュカードで、他方が電子マネーカードであれば、第１および第２カード１，２を適合カードとして扱うことで、口座からのチャージ処理を行うようにしてもよい。このようにすれば、カード利用者はキャッシュカードをカード挿入口２２から挿入しても、カードポケット２３にセットしてもよいので、上記のハンドリングミスが発生しなくなる。
【００５８】
次に、１枚のカード、すなわち第１または第２カード１，２に対する取引処理の例として現金チャージ処理（図５のＳ５）を説明する。現金チャージ処理とは、第１または第２カード１，２のいずれか一方のバリューに入出金口２７から投入された現金の金額、すなわちチャージ金額をチャージする処理である。ここでは、第１および第２カード１，２は、電子マネーカードのようにチャージ金額をチャージできるカードである。また、第１カード１として、非接触カードおよび接点カードを用いることができる。
【００５９】
以下、図１１および図１２を参照して現金チャージ処理について説明する。まず、制御部４０は図１２に示すカード１枚確認処理を呼び出す（Ｓ３０１）。以下、カード１枚確認処理について簡単に説明する。まず、制御部４０は、第１カード１の取り込みを許可する（Ｓ４０１）。これにより、第１カード１がカード挿入口２２から挿入されると、ローラ３３などの搬送手段によりカード停止位置まで搬送される。さらに、制御部４０は、アンテナを外部アンテナ１２に切り換えて（Ｓ４０２）、第２カード２にカード属性を返すことを促すポーリングコマンドを送信する（Ｓ４０３）。
【００６０】
ポーリングコマンドを送信した結果、第２カード２からレスポンスを受信した場合は（Ｓ４０４：ＹＥＳ）、レスポンス中のデータを調べることによって第２カード２が適合カード、例えば、電子マネーカードであるか否かを判定する（Ｓ４０５）。第２カード２が適合カードである場合は（Ｓ４０５：ＹＥＳ）、制御部４０は、第２カード２が適合カードであることを示す２を戻り値として処理を呼び出し元に戻す（Ｓ４０８）。第２カード２が適合カードではない場合は（Ｓ４０５：ＮＯ）、制御部４０は、エラーメッセージを表示部２５に表示し（Ｓ４０６）、エラー終了を示す０を戻り値として処理を呼び出し元に戻す（Ｓ４０７）。
【００６１】
ポーリングコマンドを送信しても第２カード２からレスポンスを受信しなかった場合（Ｓ４０４：ＮＯ）、例えば非接触型の第２カード２がカードポケット２３にセットされていない場合は、カード挿入口２２から挿入された第１カード１がカード停止位置で停止しているか否かが判定される（Ｓ４０９）。第１カード１がカード停止位置で停止していない場合は（Ｓ４０９：ＮＯ）、制御部４０は第２カード２に再びポーリングコマンドを送信する（Ｓ４０３）。第１カード１がカード停止位置で停止している場合は（Ｓ４０９：ＹＥＳ）、制御部４０は、アンテナを内部アンテナ１１に切り換えてから（Ｓ４１０）、第１カード１にカード属性を返すことを促すポーリングコマンドを送信する（Ｓ４１１）。
【００６２】
ポーリングコマンドを送信した結果、第１カード１からレスポンスを受信した場合は（Ｓ４１２：ＹＥＳ）、レスポンス中のデータを調べることによって第１カード１が適合カード、例えば、電子マネーカードであるか否かを判定する（Ｓ４１３）。第１カード１が適合カードである場合は（Ｓ４１３：ＹＥＳ）、制御部４０は、第１カード１が非接触型の適合カードであることを示す１を戻り値として処理を呼び出し元に戻す（Ｓ４１４）。第１カード１が適合カードではない場合は（Ｓ４１３：ＮＯ）、制御部４０は、ローラ３３の回転などを制御することで第１カード１をカードリーダユニット３０から排出する（Ｓ４１９）と共に、エラーメッセージを表示部２５に表示し（Ｓ４２０）、エラー終了を示す０を戻り値として処理を呼び出し元に戻す（Ｓ４２１）。
【００６３】
ポーリングコマンドを送信しても第１カード１からレスポンスを受信しなかった場合は（Ｓ４１２：ＮＯ）、第１カード１が接点カードである可能性があるので、制御部４０は、プローブユニット３６のプローブ３６ａを介して、すなわち当該プローブ３６ａと接点カードの接点とを接触させて、カード属性を返すことを促すコマンドを第１カード１に送信し（Ｓ４１５）、第１カード１からレスポンスを受信したか否かを判定する（Ｓ４１６）。レスポンスを受信した場合（Ｓ４１６：ＹＥＳ）、すなわち第１カード１が接点カードである場合は、制御部４０は、第１カード１が適合カードであるか否かを判定する（Ｓ４１７）。第１カード１が適合カードである場合は（Ｓ４１７：ＹＥＳ）、制御部４０は、第１カード１が接点型の適合カードであることを示す３を戻り値として処理を呼び出し元に戻す（Ｓ４１８）。一方、第１カード１からレスポンスを受信しなかった場合（Ｓ４１６：ＮＯ）、または第１カード１が適合カードではない場合は（Ｓ４１７：ＮＯ）、制御部４０は上述のエラー処理（Ｓ４１９〜Ｓ４２１）を行う。
【００６４】
ここで、図１１の説明に戻る。カード１枚確認処理（Ｓ３０１）がエラー終了し、戻り値が０である場合は（Ｓ３０２：ＹＥＳ）、制御部４０は処理を呼び出し元に戻す（Ｓ３１７）。一方、カード１枚確認処理（Ｓ３０１）が正常終了し、戻り値が１〜３である場合は（Ｓ３０２：ＮＯ）、制御部４０は、入出金口扉２８を開け、第１または第２カード１，２にチャージするチャージ金額分の現金を入出金口２７に投入することを促すメッセージを表示部２５に表示し、カード利用者に現金を投入させる（Ｓ３０３）。
【００６５】
現金が投入されると、不図示の貨幣処理部で投入された現金の金額が求められる。制御部４０は、求められた金額、すなわちチャージ金額を表示部２５に表示し、カード利用者にチャージ金額の確認を行わせる（Ｓ３０４）。この状態で、カード利用者がキーボード２６の取り消しキーを押して、現金チャージ処理の取り消しを指示した場合は（Ｓ３０５：ＹＥＳ）、制御部４０は、不図示の貨幣処理部を制御することで投入された現金を入出金口２７に放出させる（Ｓ３１８）。さらに、上記の戻り値が１または３である場合（Ｓ３１９：ＹＥＳ）、すなわち第１カード１がカードリーダユニット３０内に取り込まれている場合は、制御部４０は第１カード１を排出して（Ｓ３２０）、処理を呼び出し元に戻す（Ｓ３２１）。
【００６６】
現金チャージ処理の取り消しが指示されなかった場合は（Ｓ３０５：ＮＯ）、制御部４０は、上記の戻り値が１〜３のいずれであるかを調べ（Ｓ３０６，Ｓ３１２）、戻り値に応じた処理を行う。戻り値が１である場合（Ｓ３０６：ＹＥＳ）、すなわち非接触型の第１カード１がカードリーダユニット３０内に取り込まれた場合は、制御部４０は、アンテナを内部アンテナ１１に切り換え（Ｓ３０７）、図６のＳ１６と同様の手順によりチャージ金額を第１カード１のバリューに加算することによって、第１カード１のバリューを増額し（Ｓ３０８）、さらに第１カード１をカードリーダユニット３０から排出する（Ｓ３０９）。
【００６７】
戻り値が２である場合（Ｓ３１２：ＹＥＳ）、すなわち非接触型の第２カード２がカードポケット２３にセットされた場合は、制御部４０は、アンテナを外部アンテナ１２に切り換え（Ｓ３１３）、図６のＳ１６と同様の手順によりチャージ金額を第２カード２のバリューに加算することによって、第２カード２のバリューを増額する（Ｓ３１４）。戻り値が３である場合（Ｓ３１２：ＮＯ）、すなわち接点型の第１カード１がカードリーダユニット３０内に取り込まれた場合は、制御部４０は、プローブユニット３６のプローブ３６ａを介して、すなわち当該プローブ３６ａと第１カード１の接点とを接触させて、チャージ金額を第１カード１のバリューに加算することによって、第１カード１のバリューを増額し（Ｓ３１５）、さらに第１カード１をカードリーダユニット３０から排出する（Ｓ３１６）。上記の戻り値ごとの処理が終了すると、制御部４０は終了メッセージを表示部２５に表示し（Ｓ３１０）、処理を呼び出し元に戻す（Ｓ３１１）。
【００６８】
また、小売店などに設置される取引処理装置では、上記の現金チャージ処理と同様に１枚のカードに対する支払い処理が行われる。支払い処理では、購入した商品の支払いが第１または第２カード１，２で行われる。第１または第２カード１，２が電子マネーカードであれば、第１または第２カード１，２のバリューが支払額だけ減額される。一方、第１または第２カード１，２がキャッシュカードであれば、第１または第２カード１，２の口座残高が支払額だけ減額される。尚、現金チャージ処理や支払い処理の第１カード１として、磁気カードを用いることもできる。
【００６９】
以上説明したように、本装置は、現金チャージ処理や支払い処理などの１枚のカードに対する取引処理も行うことができる。１枚のカードに対する取引処理では、外部アンテナ１２を用いた通信によりカードポケット２３にセットされた非接触型の第２カード２の存在が確認された場合には、第２カード２に対して取引処理が行われる。一方、内部アンテナ１１を用いた通信によりカードリーダユニット３０内に取り込まれた非接触型の第１カード１の存在が確認された場合には、第１カード１に対して取引処理が行われる。つまり、カード利用者がカードをカード挿入口２２から挿入しても、カードポケット２３にセットしても取引処理が行われるので、第１カード１だけが利用可能と規定したときに起きるカードのハンドリングミス（すなわち、カード利用者がカードをカードポケットにセットすること）が発生しない。また、アンテナ切り換え部４２で内部アンテナ１１と外部アンテナ１２とを切り換えるので、１つの非接触カード通信部４１で第１または第２カード１，２のいずれに対しても通信を行うことができる。
【００７０】
以上述べた実施形態においては、２枚のカードに対する取引処理の例としてバリュー移動処理と口座からのチャージ処理とを説明し、１枚のカードに対する取引処理の例として現金チャージ処理と支払い処理とを説明したが、２枚のカードに対する取引処理および１枚のカードに対する取引処理は、上記のものに限定されるものではない。また、上記実施形態では、アンテナ切り換え部４２で第１アンテナ１１と第２アンテナ１２とを切り換えるようにしたが、アンテナ切り換え部４２を設けずに第１および第２アンテナ１１，１２ごとに非接触カード通信部を設け、第１の非接触カード通信部で第１カード１と通信し、第２の非接触カード通信部で第２カード２と通信するようにしても本発明を実施することができる。
【００７１】
さらに、上記実施形態では、取引媒体としてカードを例に挙げたが、本発明を適用できる取引媒体であれば、取引媒体はカード以外の媒体であってもよい。さらに、上記実施形態では、第１または第２カード１，２と制御部４０（または、非接触カード通信部４１および接点カード通信部４３）との通信手順についても簡単に説明したが、通信手順は本発明の直接的事項ではなく、カードの種類や規格に応じて他の通信手順を用いても本発明を実施することができる。
【図面の簡単な説明】
【００７２】
【図１】取引処理装置の外観を示す斜視図である。
【図２】カードポケット内のカードを固定する機構を示す断面図である。
【図３】カードリーダユニットの概略機構を示す図である。
【図４】取引処理装置の電気的構成を示す図である。
【図５】メイン処理のフローチャートである。
【図６】バリュー移動処理のフローチャートである。
【図７】バリュー移動処理のフローチャートである。
【図８】バリュー移動処理のフローチャートである。
【図９】バリュー移動処理のフローチャートである。
【図１０】口座からのチャージ処理のフローチャートである。
【図１１】現金チャージ処理のフローチャートである。
【図１２】現金チャージ処理のフローチャートである。
【符号の説明】
【００７３】
１    第１カード（第１取引媒体）
２    第２カード（第２取引媒体）
１１  第１アンテナ（内部アンテナ）
１２  第２アンテナ（外部アンテナ）
２２  カード挿入口
２３  カードポケット（収納部）
２６  キーボード（指示手段）
２９  カード固定手段
３３  ローラ（搬送手段）
３５  磁気ヘッド
３６  プローブユニット
３６ａ  プローブ
４０  制御部
４１  非接触カード通信部
４２  アンテナ切り換え部
【図１】
2006072616.tif 000003
【図２】
2006072616.tif 000004
【図３】
2006072616.tif 000005
【図４】
2006072616.tif 000006
【図５】
2006072616.tif 000007
【図６】
2006072616.tif 000008
【図７】
2006072616.tif 000009
【図８】
2006072616.tif 000010
【図９】
2006072616.tif 000011
【図１０】
2006072616.tif 000012
【図１１】
2006072616.tif 000013
【図１２】
2006072616.tif 000014